(57)【要約】【課題】表示部の表示画面を大画面化することなく、複数頁分の画像の各内容を操作者が容易に把握できるようにする。【解決手段】表示部４１０と、原稿読取部５００と、原稿読取部５００によって読み取られた複数頁分の各画像データからそれぞれに特定領域を抽出する特定領域抽出部５２３と、当該抽出された複数頁分の特定領域のデータを用いて、当該各特定領域のデータが示すそれぞれの画像の全域が表示部の表示画面に表示される表示画面データを生成する画面データ生成部５２４と、当該生成された表示画面データが示す画像を表示部４１０に表示させる表示制御部５２２とを備える画像表示装置。【選択図】図９
2011139315.tif 000002
【特許請求の範囲】
【請求項１】
画像を表示する表示部と、
画像データを取得する画像データ取得部と、
前記画像データ取得部によって取得された複数頁分の各画像データからそれぞれに特定領域を抽出する特定領域抽出部と、
前記特定領域抽出部によって抽出された前記複数頁分の特定領域のデータを用いて、当該各特定領域のデータが示すそれぞれの画像の全域が前記表示部の表示画面に表示される表示画面データを生成する画面データ生成部と、
前記画面データ生成部によって生成された表示画面データが示す画像を前記表示部に表示させる表示制御部と
を備える画像表示装置。
【請求項２】
前記特定領域抽出部は、前記画像データ取得部によって取得された各頁毎の画像データが示す画像における予め定められた領域を前記特定領域として抽出する請求項１に記載の画像表示装置。
【請求項３】
前記画像データ取得部によって取得された各頁毎の画像データが示す画像において前記特定領域とする領域の指定を操作者から受け付ける領域指定受付部を更に備え、
前記特定領域抽出部は、前記領域指定受付部によって受け付けられた領域を前記特定領域として抽出する請求項１に記載の画像表示装置。
【請求項４】
前記特定領域抽出部は、前記特定領域として、前記画像データ取得部によって取得された各頁毎の画像データが示す画像から、文字領域の占有率が予め定められた値に達している領域、写真領域の占有率が予め定められた値に達している領域、枠を示す画像を含む領域、又は登録済みの画像を含む領域を抽出する請求項２又は請求項３に記載の画像表示装置。
【請求項５】
前記画面データ生成部は、前記特定領域抽出部によって抽出された前記各特定領域のデータに、前記各頁毎の画像データが示す画像における当該特定領域の位置を示す位置明示画像を付加して、前記表示部の表示画面に表示する表示画面データを生成する請求項１乃至請求項４のいずれかに記載の画像表示装置。
【請求項６】
前記画面データ生成部は、前記位置明示画像を、前記特定領域の画像を透過表示させる画像として生成する請求項５に記載の画像表示装置。
【請求項７】
前記表示制御部は、前記表示画面データが示す画像を前記表示部に表示させるとき、当該表示画像データが示す画像の表示開始時から予め定められた時間だけ、前記位置明示画像を前記特定領域の画像上に重ねて表示させる請求項５に記載の画像表示装置。
【請求項８】
前記画面データ生成部は、前記特定領域抽出部によって抽出された前記各特定領域のデータに、前記複数頁における当該各特定領域が属する画像データの頁番号を示す画像を付加して、前記表示部の表示画面に表示する表示画面データを生成する請求項１乃至請求項７のいずれかに記載の画像表示装置。
【請求項９】
前記画像データ取得部によって取得された複数頁分の画像データのうち、前記画面データ生成部に前記表示画像データを生成させる画像データの頁の指定を操作者から受け付ける画像データ指定受付部を更に備え、
前記画面データ生成部は、前記画像データ指定受付部によって指定が受けられた頁の画像データを用いて前記表示画面データを生成する請求項１乃至請求項３のいずれかに記載の画像表示装置。
【請求項１０】
請求項１乃至請求項９のいずれかに記載の画像表示装置と、
前記画像データ取得部によって取得された画像データに基づいて記録媒体に画像形成する画像形成部と
を備える画像形成装置。
【発明の詳細な説明】
【技術分野】
【０００１】
本発明は、画像表示装置及び画像形成装置に関し、特に、表示部の表示画面に複数頁分の画像を表示させる技術に関する。
【背景技術】
【０００２】
従来から、複写機等の画像形成装置では、複写対象として読み込んだ原稿の画像を、記録紙への画像形成前に、ＬＣＤ（Liquid Crystal Display）等の表示部にプレビュー表示させるものが知られている。例えば、下記特許文献１に示される印刷プレビュー表示方法では、表示部の表示画面に、複数頁分の原稿画像を、各頁の原稿画像を互いに所定幅だけずらして表示することにより、印刷される内容と、複数頁分の原稿画像が印刷対象になっていることをユーザが把握できるようにしている。
【先行技術文献】
【特許文献】
【０００３】
【特許文献１】特開２００４−３１８５８１号公報
【発明の概要】
【発明が解決しようとする課題】
【０００４】
しかしながら、上記特許文献１に示される従来技術は、各頁の原稿画像を互いに所定幅ずらして表示のみであるため、最前面に表示した頁の原稿画像以外の画像は大部分が表示されず、原稿画像の端部が表示されるに過ぎず、ユーザは、当該最前面頁の原稿画像の内容は把握できるが、当該最前頁の後ろに隠れる各原稿画像の内容を把握できない。また、表示部の表示領域を大きく構成して複数頁の原稿画像を表示可能にすると、製造コストを上昇させる要因になる。
【０００５】
本発明は、上記の問題を解決するためになされたもので、表示部の表示画面を大画面化することなく、複数頁分の画像の各内容を操作者が容易に把握できるようにすることを目的とする。
【課題を解決するための手段】
【０００６】
本発明の請求項１に記載の発明は、画像を表示する表示部と、
画像データを取得する画像データ取得部と、
前記画像データ取得部によって取得された複数頁分の各画像データからそれぞれに特定領域を抽出する特定領域抽出部と、
前記特定領域抽出部によって抽出された前記複数頁分の特定領域のデータを用いて、当該各特定領域のデータが示すそれぞれの画像の全域が前記表示部の表示画面に表示される表示画面データを生成する画面データ生成部と、
前記画面データ生成部によって生成された表示画面データが示す画像を前記表示部に表示させる表示制御部と
を備える画像表示装置である。
【０００７】
また、請求項２に記載の発明は、請求項１に記載の画像表示装置であって、前記特定領域抽出部は、前記画像データ取得部によって取得された各頁毎の画像データが示す画像における予め定められた領域を前記特定領域として抽出するものである。
【０００８】
これらの発明によれば、特定領域抽出部が、上記複数頁分の各画像データからそれぞれに特定領域を抽出し、画面データ生成部が、特定領域抽出部によって抽出された特定領域のデータを複数用いて、当該各特定領域のデータが示すそれぞれの画像の全域を表示部の表示画面に表示する表示画面データを生成し、表示制御部が、当該表示画面データの示す画像を前記表示部に表示させるので、操作者は、複数頁分の画像を表示画面で一度に視認する場合であっても、当該表示画面に表示される各頁画像の上記特定領域に示される内容について、当該表示画面により同時に把握することができる。このため、本発明によれば、表示部の表示画面を大画面化せずに製造コスト上昇を抑えつつ、複数頁分の画像の各内容を操作者が容易に把握可能にすることができる。
【０００９】
また、請求項３に記載の発明は、請求項１に記載の画像表示装置であって、前記画像データ取得部によって取得された各頁毎の画像データが示す画像において前記特定領域とする領域の指定を操作者から受け付ける領域指定受付部を更に備え、
前記特定領域抽出部は、前記領域指定受付部によって受け付けられた領域を前記特定領域として抽出するものである。
【００１０】
この発明によれば、領域指定受付部により操作者から指定された領域を特定領域として、特定領域抽出部が、上記複数頁分の各画像データからそれぞれに抽出するので、操作者が関心の高い領域部分を確実に抽出して表示部の表示画面に表示させることができる。
【００１１】
また、請求項４に記載の発明は、請求項２又は請求項３に記載の画像表示装置であって、前記特定領域抽出部は、前記特定領域として、前記画像データ取得部によって取得された各頁毎の画像データが示す画像から、文字領域の占有率が予め定められた値に達している領域、写真領域の占有率が予め定められた値に達している領域、枠を示す画像を含む領域、又は登録済みの画像を含む領域を抽出するものである。
【００１２】
この発明によれば、特定領域抽出部は、上記特定領域として、文字領域の占有率が予め定められた値に達している領域、写真領域の占有率が予め定められた値に達している領域、枠を示す画像を含む領域、又は登録済みの画像を含む領域を抽出するので、複数頁分の画像データから、操作者が注目すると想定される領域部分を的確に抽出して表示部の表示画面に表示させることができる。
【００１３】
また、請求項５に記載の発明は、請求項１乃至請求項４のいずれかに記載の画像表示装置であって、前記画面データ生成部は、前記特定領域抽出部によって抽出された前記各特定領域のデータに、前記各頁毎の画像データが示す画像における当該特定領域の位置を示す位置明示画像を付加して、前記表示部の表示画面に表示する表示画面データを生成するものである。
【００１４】
この発明によれば、表示制御部により、表示部の表示画面に複数頁分の上記特定領域の画像が表示されたとき、操作者が、上記位置明示画像を視認することにより、上記各頁毎の画像データが示す画像における当該特定領域の位置を容易に把握できる。
【００１５】
また、請求項６に記載の発明は、請求項５に記載の画像表示装置であって、前記画面データ生成部は、前記位置明示画像を、前記特定領域の画像を透過表示させる画像として生成するものである。
【００１６】
また、請求項７に記載の発明は、請求項５に記載の画像表示装置であって、前記表示制御部は、前記表示画面データが示す画像を前記表示部に表示させるとき、当該表示画像データが示す画像の表示開始時から予め定められた時間だけ、前記位置明示画像を前記特定領域の画像上に重ねて表示させるものである。
【００１７】
これらの発明によれば、表示制御部により表示部の表示画面に上記特定領域の画像と上記位置明示画像が同時に表示されても、操作者は、上記各頁毎の画像データが示す画像における当該特定領域の位置を容易に把握しつつ、当該特定領域の画像各部を明確に把握可能になる。
【００１８】
また、請求項８に記載の発明は、請求項１乃至請求項７のいずれかに記載の画像表示装置であって、前記画面データ生成部は、前記特定領域抽出部によって抽出された前記各特定領域のデータに、前記複数頁における当該各特定領域が属する画像データの頁番号を示す画像を付加して、前記表示部の表示画面に表示する表示画面データを生成するものである。
【００１９】
各頁の画像データの一部のみが表示画面に表示される場合、表示された内容に基づくだけでは、操作者は、表示されている各特定領域が何ページ目の画像データの画像であるかを把握しづらいが、この発明によれば、表示制御部により表示部の表示画面に上記特定領域の画像と上記領域明示画像が同時に表示されても、当該各特定領域が何ページ目の画像データの画像であるかを容易に把握できる。
【００２０】
また、請求項９に記載の発明は、請求項１乃至請求項３のいずれかに記載の画像表示装置であって、前記画像データ取得部によって取得された複数頁分の画像データのうち、前記画面データ生成部に前記表示画像データを生成させる画像データの頁の指定を操作者から受け付ける画像データ指定受付部を更に備え、
前記画面データ生成部は、前記画像データ指定受付部によって指定が受けられた頁の画像データを用いて前記表示画面データを生成するものである。
【００２１】
この発明によれば、画面データ生成部が、画像データ指定受付部で操作者から指定が受けられた頁の画像データを用いて表示画面データを生成するので、操作者が関心の高い頁の画像データを、確実に表示部の表示画面に表示させることができる。
【００２２】
また、請求項１０に記載の発明は、請求項１乃至請求項９のいずれかに記載の画像表示装置と、
前記画像データ取得部によって取得された画像データに基づいて記録媒体に画像形成する画像形成部と
を備える画像形成装置である。
【００２３】
この発明によれば、請求項１乃至請求項９のいずれかに記載の発明と同様の作用を奏する。
【発明の効果】
【００２４】
本発明によれば、表示部の表示画面を大画面化することなく、複数頁分の画像の各内容を、操作者が容易に把握することかできる。
【図面の簡単な説明】
【００２５】
【図１】本発明の一実施形態に係る画像形成装置の一例である複合機の構成を示す側面概略図である。
【図２】操作部の部分拡大図である。
【図３】図１に示す複合機の制御ブロック図である。
【図４】複合機による複数頁の画像の表示処理を示すフローチャートである。
【図５】表示画面の一例を示す図である。
【図６】表示画面の一例を示す図である。
【図７】プレビュー設定時の処理の第１実施形態を示すフローチャートである。
【図８】表示画面データが示す画像の例を示す図である。
【図９】表示画面の一例を示す図である。
【図１０】プレビュー設定時における処理の第２実施形態を示すフローチャートである。
【図１１】（ａ）は原稿画像の例を示す図、（ｂ）は登録済画像の例を示す図である。
【図１２】（ａ）は領域明示画像の例を示す図、（ｂ）は原稿画像の例を示す図、（ｃ）は表示画面データの例を示す図である。
【図１３】表示画面データによって表示される画像の例を示す図である。
【図１４】表示画面データによって表示される画像の例を示す図である。
【発明を実施するための形態】
【００２６】
以下、本発明に係る表示装置及びこれを備えた画像形成装置について説明する。図１は、本発明の一実施形態に係る画像形成装置の一例である複合機の構成を示す側面概略図である。図２は、操作部４００の部分拡大図である。複合機１は、スキャナ機能、ファクシミリ機能、プリンタ機能、コピー機能等を兼ね備えている。複合機１は、本体部２００と、本体部２００の用紙搬出側、例えば左側に配設された用紙後処理部３００と、操作者が種々の操作指令等を入力するための操作部４００と、本体部２００の上部に配設された原稿読み取り部５００と、原稿読み取り部５００の上部に配設された原稿給送部６００とから構成される。
【００２７】
図２にも示すように、操作部４００は、ＬＣＤ（Liquid Crystal Display）等からなる表示部４１０と、操作者から操作指示が入力される操作キー部４３０を備える。操作キー部４３０は、ヘルプキー４３１、スタートボタン４３２、テンキー４３３、及び機能切換キー４３４等を備える。
【００２８】
ヘルプキー４３１は、操作者から、スキャナ機能、ファクシミリ機能、プリンタ機能、コピー機能等に関する各操作方法を表示する操作画面（ヘルプ画面）を表示部４１０に表示させる指示を受け付けるものである。
【００２９】
スタートボタン４３２は、コピー動作やスキャン動作等の各動作を開始させる指示を操作者から受け付ける。テンキー４３３は、コピー部数を指定する指示等を操作者から受け付けるキーである。また、本実施形態では、テンキー４３３は、表示部４１０に表示中の操作画面に対応する操作指示の入力に必要な情報（例えば、ユーザボックス番号）の入力を受け付ける情報入力部として機能する。
【００３０】
機能切換キー４３４は、コピー機能、送信機能（スキャナ機能、ファクシミリ機能等）、文書ボックス機能（後述するＨＤＤ７４内に設けられている操作者毎の記憶領域（メールボックス）に記憶されているデータを読み出してプリントする機能）等を相互に切り替える機能切換指示を操作者から受け付けるキーである。
【００３１】
表示部４１０は、ＬＣＤ（Liquid Crystal Display）等からなり、タッチパネル機能を組み合わせたタッチパネルユニット等を備えている。表示部４１０は、種々の操作画面を表示すると共に、操作者が表示面（表示されている操作キー）をタッチすることで種々の機能の実行指令を入力することが可能とされている。
【００３２】
原稿給送部６０は、原稿載置部６０１、給紙ローラ６０２、原稿搬送部６０３及び原稿排出部６０４を備え、原稿読み取り部（画像データ取得部の一例）５００は、スキャナ５０１を備える。給紙ローラ６０２は、原稿載置部６０１にセットされた所要枚数分の原稿を一枚ずつ繰り出し、原稿搬送部６０３は、繰り出される原稿を順次スキャナ５０１の読み取り位置に搬送する。スキャナ５０１は搬送される原稿の画像を順次読み取り、読み取られた原稿は原稿排出部６０４に排出される。
【００３３】
本体部２００は、複数の給紙カセット２０１、複数の給紙ローラ２０２、転写ローラ２０３、感光体ドラム２０４、露光装置２０６、現像装置２０７、定着ローラ２０８、排出口２０９、及び排出トレイ２１０等を備える。
【００３４】
感光体ドラム２０４は、矢印方向に回転しながら帯電装置（図示省略）によって一様に帯電される。露光装置２０６は、原稿読み取り部５００において読み取られた原稿の画像に応じて変調されたレーザ光を感光体ドラム２０４上に走査し、ドラム表面に各色毎の静電潜像を形成する。現像装置２０７は、黒色の現像剤を感光体ドラム２０４に供給してトナー画像を形成する。
【００３５】
一方、給紙ローラ２０２は、記録紙が収納された給紙カセット２０１から記録紙を引き出し、転写ローラ２０３まで給送する。転写ローラ２０３は、搬送された記録紙に感光体ドラム２０４上のトナー像を転写させ、定着ローラ２０８は、転写されたトナー像を加熱して記録紙に定着させる。その後、記録紙は、本体部２００の排出口２０９から用紙後処理部３００に搬入される。また、記録紙は、必要に応じて排出トレイ２１０へも排出される。
【００３６】
用紙後処理部３００は、搬入口３０１、記録紙搬送部３０２、搬出口３０３及びスタックトレイ３０４等を備える。記録紙搬送部３０２は、排出口２０９から搬入口３０１に搬入された記録紙を順次搬送し、最終的に搬出口３０３からスタックトレイ３０４へ記録紙を排出する。スタックトレイ３０４は、搬出口３０３から搬出された記録紙の集積枚数に応じて矢印方向に上下動可能に構成されている。
【００３７】
図３は、図１に示す複合機の制御ブロック図である。複合機１は、スキャナ部１１、画像処理部２１、プリンタ部３１、操作部４００、制御部５１、ネットワークＩ／Ｆ（インターフェース）部７１、ＨＤＤ（ハードディスクドライブ）７４、及びファクシミリ通信部７５を備える。
【００３８】
スキャナ部１１は、図１に示すスキャナ５０１を構成する露光ランプ１２及びＣＣＤ（電荷結合素子）１３を含む。スキャナ部１１は、露光ランプ１２により原稿を照射し、その反射光をＣＣＤ１３で受光することにより、原稿から画像を読み取り、読み取った画像
に対応する画像を画像処理部２１へ出力する。
【００３９】
画像処理部２１は、補正部２２、画像加工部２３及び画像メモリ２４を含む。画像処理部２１は、読み取られた画像を必要に応じて補正部２２及び画像加工部２３により処理する。画像処理部２１によって処理された画像は印刷用に画像メモリ２４に記憶され、又はプリンタ部３１に出力される。補正部２２は、読み取られた画像に対してレベル補正、γ補正等の所定の補正処理を行う。画像加工部２３は、画像の圧縮又は伸張処理、及び拡大又は縮小処理等の種々の加工処理を行う。
【００４０】
プリンタ部３１は、図１に示す給紙カセット２０１及び給紙ローラ２０２等から構成される用紙搬送部３２、図１に示す感光体ドラム２０４、露光装置２０６及び現像装置２０７等から構成される画像形成部３３、図１に示す転写ローラ２０３等から構成される転写部３４、及び図１に示す定着ローラ２０８等から構成される定着部３５を含む。プリンタ部３１は、スキャナ部１１により読み取られた原稿データを用いて画像を記録紙に印刷する。具体的には、用紙搬送部３２は記録紙を画像形成部３３へ搬送し、画像形成部３３は上記の画像に対応するトナー像を形成し、転写部３４はトナー像を記録紙に転写し、定着部３５はトナー像を記録紙に定着させて画像を形成する。
【００４１】
ネットワークＩ／Ｆ部７１は、ネットワークインタフェース（10/100Base-TX）等を用い、ＬＡＮを介して外部装置との間での種々のデータの送受信を制御する。ＨＤＤ７４は、スキャナ部１１によって読み取られた画像及び当該画像に設定されている出力形式等を記憶する。
【００４２】
操作部４００は、図１及び図２に示したように表示部４１０、操作キー部４３０を備える。表示部４１０は、タッチパネル機能により各種指示の入力を受け付ける複数のキーを表示制御部５２２による制御の下で表示する。
【００４３】
操作キー部４３０には、図２に示した機能切換キー４３４、スタートボタン４３２、及びテンキー４３３等が設けられている。制御部５１のＣＰＵ５２は、上記表示部４１０及び操作部４００の各キーから、操作者によって入力された指示を受け付ける。
【００４４】
図３において、ファクシミリ通信部７５は、符号化／復号化部（図示省略）、変復調部（図示省略）及びＮＣＵ（Network Control Unit）（図示省略）を含む。ファクシミリ通信部７５は、スキャナ部１１によって読み取られた原稿の画像データを、電話回線を介してファクシミリ装置等へ送信したり、ファクシミリ装置等から送信された画像データを受信したりする。符号化／復号化部は、送信する画像データを圧縮・符号化し、受信した画像データを伸長・復号化する。変復調部は、圧縮・符号化された画像データを音声信号に変調し、受信した信号（音声信号）を画像データに復調する。ＮＣＵは、送受信先となるファクシミリ装置等との電話回線による接続を制御する。
【００４５】
制御部５１は、ＣＰＵ５２と、データ記憶部５３とを備える。ＣＰＵ５２は、複合機１の動作制御を司るものである。
【００４６】
データ記憶部５３は、操作者に対する操作案内を行うための操作画面を表示するための各種データや、スキャナ機能、ファクシミリ機能、プリンタ機能、コピー機能等の各機能の動作状況を表示するための表示画面用の画像データ（画像、文字、記号等の各データを含む）を記憶している。さらに、データ記憶部５３は、原稿読み取り部５００によって読み取られた原稿の画像データを、画像形成用、及び操作者による画像形成仕上がり具合の確認を可能にするプレビュー表示のために一時的に記憶する。
【００４７】
ＣＰＵ５２は、動作制御部５２１、表示制御部５２２、特定領域抽出部５２３、画面データ生成部５２４、及び指定受付部５２５を備える。
【００４８】
動作制御部５２１は、複合機１の各部（操作部４００、スキャナ部１１，画像処理部２１、プリンタ部３１等）の動作制御を司る。
【００４９】
表示制御部５２２は、表示部４１０の表示動作を制御する。表示制御部５２２は、データ記憶部５３から、操作画面の表示に必要な画像データ等を読み出して表示部４１０に表示させる。
【００５０】
特定領域抽出部５２３は、原稿読取部５００によって読み取られた各原稿の画像データ（以下、原稿画像データという）が示す画像から、その一部領域である特定領域を抽出する。当該特定領域は、例えば、(1)原稿画像データの示す原稿画像における予め定められた範囲（デフォルトの範囲。例えば、当該原稿画像をその高さ２分の１，幅２分の１の位置で分割して４等分し、左上画像、右上画像、左下画像、右下画像とした場合における左上画像に対応する範囲等）、(2)指定受付部５２５により操作者から受け付けられた領域、の(1)(2)のいずれか等であり、これらのいずれを特定領域とするかの設定は、操作者による指示に従って、特定領域抽出部５２３が記憶している。
【００５１】
更に、特定領域抽出部５２３は、上記各特定領域の内、操作者からの指示に基づいて、文字領域の占有率が予め定められた値（例えば、70％等）に達している領域、写真領域の占有率が予め定められた値（例えば、40％等）に達している領域、枠を示す画像を含む領域、又は登録済みの画像に略一致する画像を含む領域、を抽出する自動判別処理を行う。
【００５２】
なお、上記特定領域抽出部５２３による上記各領域からの文字領域の検出には、原稿読取部５００から出力される原稿画像から、写真等を除いた、例えば見出しや本文等が記載されている文字領域を抽出する技術が用いられる。当該文字領域を抽出する技術としては、例えば、エッジ検出処理の手法を用いることができる。この場合、特定領域抽出部５２３は、前記原稿画像を構成する各画素を順次注目画素とし、その注目画素と周辺画素を抽出して、それらの画素に対してエッジ検出フィルタを用いたフィルタ処理を施すことにより、画像の輪郭を構成するエッジ画素を検出するエッジ検出処理を行う。そして、このエッジ検出処理でエッジを検出した場合に、特定領域抽出部５２３は、当該注目画素をエッジ画素と判定し、当該エッジ画素に基づいて文字領域を判定する。例えば、特定領域抽出部５２３は、注目画素と、注目画素に隣接する８近傍画素との各々の輝度の差分値を算出し、所定の閾値よりも大きな値を有する差分値が、一定個数以上（例えば４個以上）ある場合、その注目画素は、文字を構成するエッジ画素であると判定する。特定領域抽出部５２３は、検出対象とする画像領域を予め定められた数の領域に区分し、当該区分された各領域について、当該エッジ画素が、予め定められた閾値以上存在すれば、当該エッジ画素が予め定められた閾値以上存在する領域を文字領域として抽出する。そして、特定領域抽出部５２３は、上記分割された各領域における当該文字領域の占有率を算出する。
【００５３】
上記特定領域抽出部５２３による上記各領域からの写真領域の検出は、例えば、以下のようにして行う。例えば、特定領域抽出部５２３は、カラー画像データの場合、原稿画像（被判定領域）1頁分を構成する各画素について、そのR（赤）、G（緑）、B（青）の色成分からなる画素値（256階調）を公知の変換式を用いて明度データに変換して２値化を行う。そして、特定領域抽出部５２３は、２値化画像に対し４連結ラベリングを行い、ラベリングされた画像それぞれについて、その大きさが予め定められた大きさ（例えば、文字相当程度の大きさ）よりも大きいものについては、その領域を写真領域とする。そして、特定領域抽出部５２３は、上記分割された各領域における当該写真領域の占有率を算出する。
【００５４】
上記特定領域抽出部５２３による上記各領域から枠を示す画像を含む領域の検出は、例えば、以下のようにして行う。例えば、特定領域抽出部５２３は、上記分割された各領域の画像について、主走査方向に連続して並ぶ予め定められた範囲内の画素値の画素、及び副走査方向に連続して並ぶ予め定められた範囲内の画素値の画素により矩形をなす画像、すなわち枠体をなす画像が存在するか否かを検出する。そして、特定領域抽出部５２３は、上記分割された領域のうち、当該枠体をなす画像が存在する領域を、上記枠を示す画像を含む領域として検出する。
【００５５】
また、上記特定領域抽出部５２３による上記各領域から登録済みの画像を含む領域の検出は、例えば、以下のようにして行う。例えば、特定領域抽出部５２３は、上記分割された各領域の画像を構成する各位置の画素の画素値と、上記登録済みの画像を構成する各位置の画素の画素値を比較し、当該分割された各領域の画像に、当該登録済みの画像が含まれるか否かを判定する。そして、特定領域抽出部５２３は、上記分割された領域のうち、当該登録済みの画像が存在する領域を、上記登録済みの画像を含む領域として検出する。
【００５６】
画面データ生成部５２４は、特定領域抽出部５２３によって抽出された複数頁分の上記特定領域のデータを用いて、当該各特定領域のデータが示すそれぞれの画像の全域が表示部４１０の表示画面に表示される表示画面データを生成する。
【００５７】
指定受付部（領域指定受付部の一例）５２５は、操作者による操作部４００の操作に基づいて、(a)表示部４１０の表示画面に同時に複数頁の原稿画像を表示するプレビュー表示を行わせるか否かの指定、(b)当該複数頁の原稿画像をプレビュー表示させる場合に、表示画面に何頁目の原稿画像を表示させるかの指定、(c)原稿読取部５００によって読み取られた各頁毎の画像データが示す画像において上記特定領域とする領域の指定、(d)特定領域に対して上述した自動判別処理を行うかの指定、等を受け付ける。
【００５８】
なお、本発明の一実施形態に係る画像表示装置は、操作部４００と、表示部４１０と、表示制御部５２２と、特定領域抽出部５２３と、画面データ生成部５２４とを備え、更に、処理の必要性に応じて、更に指定受付部５２５を備える。
【００５９】
なお、本発明の一実施形態に係る表示制御プログラムは、ＨＤＤ７４等の複合機１内の記憶媒体に記憶されており、ＣＰＵ５２が当該表示制御プログラムに従って動作制御を行うことで、上記表示制御部５２２、特定領域抽出部５２３、画面データ生成部５２４、及び指定受付部５２５として機能する。この表示制御プログラムは、ＣＤ−ＲＯＭ又はＤＶＤからの読込、或いは、ネットワークＩ／Ｆ７１によるインターネット上のサーバからダウンロードにより、ＨＤＤ７４等に記憶される。
【００６０】
但し、上記表示制御部５２２、特定領域抽出部５２３、画面データ生成部５２４、及び指定受付部５２５は、ＣＰＵ５２が上記表示制御プログラムに従って動作制御することで実現されるものに限られず、上記表示制御部５２２、特定領域抽出部５２３、画面データ生成部５２４、及び指定受付部５２５が回路等によりハード的に備えられていてもよい。
【００６１】
次に、複合機１による複数頁の画像の表示処理を説明する。図４は複合機１による複数頁の画像の表示処理を示すフローチャートである。図５及び図６は表示画面の一例を示す図である。
【００６２】
複合機１の主電源が操作者によってオンにされると、図４において表示制御部５２２は、表示部４１０に図５に示すような初期画面Ａを表示させる（Ｓ１）。本実施形態では、表示制御部５２２は、表示部４１０に、コピー機能の動作条件が設定可能な表示画面を初期画面Ａとして表示させる例を示す。
【００６３】
表示制御部５２２が、表示部４１０に初期画面Ａを表示させているときに、操作者により初期画面Ａ内のプレビューボタン４１０１が押下され、この押下操作に基づいて、タッチパネル機能により、原稿読取後で記録紙への画像形成前に、プレビュー表示を行う旨の指示が受け付けられると（Ｓ２でＹＥＳ）、表示制御部５２２は、表示部４１０に、上記プレビュー表示に関する設定を受け付けるためのプレビュー設定画面Ｂ（図６に例を示す）を表示させる。このプレビュー設定画面Ｂが表示部４１０に表示されているとき、指定受付部５２５は、操作者による当該プレビュー設定画面Ｂに表示された各ボタンの操作に基づいて、プレビュー表示に関する各種設定（上述した (1)(2)，(a)〜(d)等）の指定を受け付ける（Ｓ３）。
【００６４】
一方、表示部４１０での初期画面Ａの表示時に、操作者からプレビュー表示を行う旨の指示が受け付けられず、スタートボタン４３２が押下された場合は（Ｓ２でＮＯ）、本実施形態では、通常のコピー動作が動作制御部５２１によって実行される（Ｓ１０）。
【００６５】
ここで、上記プレビュー設定画面Ｂに基づくプレビュー設定について説明する。図７は、プレビュー設定時の処理の第１実施形態を示すフローチャートである。
【００６６】
表示制御部５２２により表示部４１０に表示されるプレビュー設定画面Ｂは、図６に示すように、複数頁プレビュー指示受付ボタン８００、表示頁指定ボタン８０１、表示頁指定ボタン８０１、特定領域指定ボタン８０３、及び自動判別ボタン８０４を有している。
【００６７】
複数頁プレビュー指示受付ボタン８００は、操作者による操作に基づいて押下されると、タッチパネル機能により、複数頁のプレビューを行う旨の複数頁プレビュー指示を受け付ける。
【００６８】
表示頁指定ボタン８０１は、原稿読取部５００によって読み取られた各原稿の画像データのうち、いずれの頁の原稿画像データを表示部４１０にプレビュー表示させるかの指示をタッチパネル機能により受け付ける。＋ボタン８０１ａ，−ボタン８０１ｂの押下によりプレビュー表示させる頁番号を指定可能とされ、確定ボタン８０１ｃの押下により、表示させる頁番号が確定される。操作者は、複数の頁を指定するときは、当該＋ボタン８０１ａ，−ボタン８０１ｂの操作による頁番号指定と、確定ボタン８０１ｃの押下による確定指示の入力操作を繰り返す。
【００６９】
表示頁数指定ボタン８０２は、操作者による操作に基づいて、タッチパネル機能により、表示部４１０の表示画面に一度にプレビュー表示される頁の数を受け付ける。表示頁指定ボタン８０１は、上記複数頁プレビュー指示受付ボタン８０１が操作者により押下されたときに、上記頁数の指定指示を受付可能な状態となる。＋ボタン８０２ａ，−ボタン８０２ｂの押下によりプレビュー表示時の表示頁数の値を増減させる指示がタッチパネル機能により受け付けられるようになっている。
【００７０】
特定領域指定ボタン８０３は、原稿読取部５００によって読み取られた各頁毎の画像データが示す画像において上記特定領域とする領域の指定を受け付ける。すなわち、指定受付部５２５には、操作者から特定領域指定ボタン８０３に、上記特定領域とする領域の指定が入力されたとき、操作者指定による範囲を特定領域とする旨の指示が受け付けられる。
【００７１】
また、自動判別ボタン８０４には、操作者による操作に基づいて、タッチパネル機能により、原稿読取部５００によって読み取られた各頁毎の画像データが示す画像から、条件に合致する特定領域を上記自動判別処理により抽出する旨の指示が入力される。
【００７２】
上記複数頁プレビュー指示受付ボタン８０１、表示頁指定ボタン８０１、特定領域指定ボタン８０３、及び自動判別ボタン８０４に受け付けられた指示は、指定受付部５２５に受け付けられる。
【００７３】
当該プレビュー設定時の処理について図７に基づいて説明する。操作者が、表示部４１０にプレビュー設定画面Ｂが表示されているときに、上記複数頁プレビュー指示受付ボタン８００が押下されると（Ｓ１１でＹＥＳ）、指定受付部５２５に上記複数頁プレビュー指示が受け付けられる（Ｓ１２）。一方、上記複数頁プレビュー指示受付ボタン８００が押下されない場合は（Ｓ１１でＮＯ）、プレビュー表示を行わずに原稿画像1枚ずつをプレビュー表示させる設定が、デフォルトとして指定受付部５２５に受け付けられる（Ｓ１９）。
【００７４】
続いて、操作者により、表示頁指定ボタン８０１の＋ボタン８０１ａ，−ボタン８０１ｂ，確定ボタン８０１ｃが操作されて、プレビュー表示の対象とする頁の頁番号が入力された場合は（Ｓ１３でＹＥＳ）、指定受付部５２５に、当該入力された頁番号の示す各頁が、プレビュー表示の対象とされる頁として受け付けられる（Ｓ１４）。なお、表示頁指定ボタン８０１が操作されず、頁が入力されない場合は（Ｓ１３でＮＯ）、指定受付部５２５には、デフォルトとして例えば全頁を、プレビュー表示の対象とする頁として受け付けられる（Ｓ２０）。
【００７５】
続いて、操作者により、表示頁数指定ボタン８０２の＋ボタン８０２ａ，−ボタン８０２ｂが操作されて、頁数を示す値が入力された場合は（Ｓ１５でＹＥＳ）、指定受付部５２５に、当該入力された頁数の値が、表示部４１０の表示画面に一度にプレビュー表示される頁数として受け付けられる（Ｓ１６）。なお、表示頁指定ボタン８０１が操作されず、頁数の値が入力されない場合は（Ｓ１５でＮＯ）、指定受付部５２５には、デフォルトとして予め定められた枚数分（例えば2頁分）が、プレビュー表示される原稿画像の頁数として受け付けられる（Ｓ２１）。
【００７６】
さらに、特定領域指定ボタン８０３が操作者により操作され、原稿読取部５００によって読み取られた各頁毎の画像データが示す原稿画像において上記特定領域とする範囲が指定されると（Ｓ１７でＹＥＳ）、指定受付部５２５には、当該指定された範囲を特定領域とする旨の指示が受け付けられる（Ｓ１８）。また、特定領域指定ボタン８０３が操作者により操作されず上記特定領域とする範囲が指定されない場合は（Ｓ１７でＮＯ）、上記画像データの示す原稿画像における上述した(1)で示したデフォルトの範囲を特定領域とする旨の指示が指定受付部５２５に受け付けられる（Ｓ２２）。
【００７７】
当該操作者による特定領域の範囲の指定は、以下のようにして行われる。例えば、特定領域指定ボタン８０３が操作者により押下されると、表示エリア８０６には、原稿画像を模した疑似原稿画像８０６１が表示される。この表示エリア８０６に表示されている疑似原稿画像８０６１における任意の一点P1を、操作者が指等で押下し、さらに、当該指等を画面上から離さずにスライドさせて、別の任意の点P2で指等を離すと、上記最初に押下した点P1と、当該指等を離した点P2とを結ぶ直線を対角線とする矩形範囲Rが、タッチパネル機能により、各頁の原稿画像における特定領域として受け付けられる。
【００７８】
図４を用いたプレビュー表示処理の説明に戻る。上記のようにして、操作者によるプレビュー設定が完了した後（Ｓ３）、操作者により、スタートボタン４３２が押下されてコピー開始指示が入力されると（Ｓ４でＹＥＳ）、当該コピー開示指示に基づいて、動作制御部５２１が、原稿読取部５００に原稿載置部６０１に載置されている原稿の読み取りを行わせる（Ｓ５）。動作制御部５２１は、原稿読取部５００によって読み取られた原稿画像をデータ記憶部５３に記憶させる（Ｓ６）。
【００７９】
ここで、特定領域抽出部５２３は、上記設定されたプレビュー設定の内容に従って、上記読み取られた複数の原稿の画像データが示す原稿画像を用いて、(i)上記Ｓ１４又はＳ２０で受け付けられたプレビュー表示の対象とする頁の各原稿画像から、(ii)Ｓ１８又はＳ２２で指定された特定領域の画像を抽出する（Ｓ７）。
【００８０】
さらに、画面データ生成部５２４は、上記抽出された各頁の特定領域の画像を、Ｓ１６又はＳ２１で受け付けられた枚数分だけ用いて、表示部４１０の表示画面に表示される表示画面データを生成する（Ｓ８）。このとき、画面データ生成部５２４は、例えば、上記Ｓ１６で受け付けられた枚数が4枚であり、原稿読取部５００によって読み取られた原稿が12枚である場合、上記抽出された各特定領域画像を最初の頁から順番に4つずつ用いて、当該4つの特定領域S1,S2,S3,S4の画像を図８に示すように合成し、各特定領域のデータが示すそれぞれの画像の全域が表示部４１０の表示画面に表示される画像Ｓの表示画面データを生成する。図８は、表示画面データが示す画像の例を示す図である。この例の場合、当該３つの表示画面データが画面データ生成部５２４により生成される。
【００８１】
更に、表示制御部５２２は、上記生成された各表示画面データを用いて、例えば図９に示すように、表示画面Ｄ内のプレビュー表示エリアＤ１に画像i3を表示部４１０に表示させる（Ｓ９）。図９は、表示画面の一例を示す図である。このとき、表示制御部５２２は、図９に示す表示画面Ｄに示されたボタン４１０２，４１０３の操作者による操作で表示画面切換指示が入力されると、上記生成された各表示画面データを次々に切り換えて表示させる。
【００８２】
次にプレビュー設定時における処理の第２実施形態を説明する。図１０は、プレビュー設定時における処理の第２実施形態を示すフローチャートである。なお、第１実施形態
と同様の処理は説明を省略する。
【００８３】
第２実施形態では、指定受付部５２５に上記複数頁プレビュー指示が受け付けられた後（Ｓ３２）、プレビュー表示の対象とする頁の設定処理（第１実施形態におけるＳ１３，Ｓ１４，Ｓ２０）は行われず、表示部４１０の表示画面に一度にプレビュー表示させる頁数の設定処理（Ｓ３３）に移る。
【００８４】
上記表示画面に一度にプレビュー表示させる頁数の設定処理後、更に、特定領域の設定処理が終了すると（Ｓ３５，Ｓ３６，Ｓ４１）、自動判別ボタン８０４が操作者により操作され、原稿読取部５００によって読み取られた各頁毎の画像データが示す画像から、予め登録された画像を含む特定領域を自動判別して抽出する旨の指示が入力されると（Ｓ３７でＹＥＳ）、図６に示すように、表示制御部５２２は、抽出方法選別ボタン８０４０をプルダウン表示させる。さらに、操作者により文字領域ボタン８０４１が押下された場合は、当該特定領域の自動判別法として、文字領域占有率の高い特定領域を抽出する処理が指定受付部５２５に受け付けられ（Ｓ３８で「文字領域」，Ｓ４２）、操作者により写真領域ボタン８０４２が押下された場合は、当該特定領域の自動判別法として、写真領域占有率の高い特定領域を抽出する処理が指定受付部５２５に受け付けられ（Ｓ３８で「写真領域」，Ｓ４３）、操作者により枠画像ボタン８０４３が押下された場合は、当該特定領域の自動判別法として、枠を示す画像を含む特定領域を抽出する処理が指定受付部５２５に受け付けられ（Ｓ３８で「枠画像」，Ｓ４４）、操作者により登録画像ボタン８０４４が押下された場合は、当該特定領域の自動判別法として、登録済みの画像を含む特定領域を抽出する処理が指定受付部５２５に受け付けられる（Ｓ３８で「登録画像」，Ｓ４５）。
【００８５】
なお、この第２実施形態に係るプレビュー設定時の処理が行われた場合、図４に示したＳ７の特定領域抽出処理は、以下のようにして行われる。
【００８６】
例えば、上記Ｓ３におけるプレビュー設定において、特定領域が指定され、更に、登録済みの画像を含む特定領域を抽出する処理が指定受付部５２５に受け付けられている場合、特定領域抽出部５２３は、全頁の原稿画像についての上記指定された特定領域の画像データを解析して、例えば上述した登録済み画像の検出処理を行い、当該登録済み画像を含む特定領域を抽出する。特定領域抽出部５２３は、当該検出処理を各頁の原稿画像の特定領域のデータに対して繰り返す。第１頁から第９頁までの原稿が図１１（ａ）に示すような画像を有し、特定領域抽出部５２３に登録されている画像が図１１（ｂ）に示す画像iである場合、特定領域抽出部５２３は、上述した登録画像の検出処理により、画像iを含む第３頁、第５頁、第７頁、及び第９頁の特定領域を抽出する。そして、画面データ生成部５２４は、当該抽出された第３頁、第５頁、第７頁、及び第９頁の特定領域のデータを用いて、図９に示す表示画面Ｄ内のプレビュー表示エリアＤ１に示される画像i3を表示可能となる表示画面データを生成する。
【００８７】
なお、文字領域の占有率が高い特定領域を抽出する旨の指示が指定受付部５２５に受け付けられている場合は、特定領域抽出部５２３により、上述した文字領域検出及びその占有率算出により同様の処理が行われ、写真領域の占有率が高い特定領域を抽出する旨の指示が指定受付部５２５に受け付けられている場合は、上述した写真領域検出及びその占有率算出により同様の処理が行われ、枠を示す画像を含む特定領域を抽出する処理が指定受付部５２５に受け付けられている場合は、上述した枠画像検出処理により同様にして、枠を示す画像を含む特定領域が抽出される。
【００８８】
この第２実施形態に係るプレビュー設定時の処理が行われた場合、画面データ生成部５２４は、このようにして抽出された特定領域のみを用いて表示画面テータを生成する。このため、プレビュー表示時には、当該抽出された特定領域の頁のみが表示部４１０に表示されることになる。
【００８９】
なお、本発明は上記実施の形態の構成に限られず種々の変形が可能である。
【００９０】
例えば、表示制御部５２２等は、上記Ｓ９における表示画面データの表示処理において、以下に示す処理を行ってもよい。
【００９１】
すなわち、上記各実施形態において、画面データ生成部５２４は、特定領域抽出部５２３によって抽出された各特定領域のデータに、当該特定領域が、各頁毎の画像データが示す画像におけるどの位置の部分であるかを示す領域明示画像i2（図１２（ａ）に例を示す）を付加して、表示画面データを生成してもよい。図１２（ｂ）に示すように、領域明示画像i2としては、原稿読取部５００によって読み取られた原稿画像を操作者による指示又はデフォルト設定に基づいて分割して特定領域を生成する場合に、分割後のどの領域にもその一部が含まれ、かつ、当該各領域に属する一部部分の画像が各領域において異なる画像が採用される。この場合、表示制御部５２２は、図１２（ｃ）に示すような表示画面データｄを生成する。
【００９２】
このとき、画面データ生成部５２４は、領域明示画像i2を、上記特定領域の画像を透過表示させる画像として生成してもよい。このとき、表示制御部５２２による表示制御により、表示部４１０のプレビュー表示エリアＤ１（図９）には、この場合、図１３に示すように、領域明示画像i2が特定領域の画像を透過させる画像i4が表示される。
【００９３】
また、表示制御部５２２は、表示画面データが示す画像を表示部４１０に表示させるとき、当該表示画面データが示す画像の表示開始時から予め定められた時間（例えば、10秒間等）だけ、領域明示画像を前記特定領域の画像上に重ねて表示させるようにしてもよい。
【００９４】
さらには、上記各実施形態において、画面データ生成部５２４は、特定領域抽出部５２３によって抽出された各特定領域のデータに、複数頁における当該各特定領域が属する画像データの頁番号を示す画像を付加して、前記表示部の表示画面に表示する表示画面データを生成してもよい。この場合、表示制御部５２２による表示制御により、表示部４１０のプレビュー表示エリアＤ１（図９）には、この場合、図１４に示すような画像i5が表示される。
【００９５】
また、上記各実施形態では、表示制御部５２２、特定領域抽出部５２３、画面データ生成部５２４、及び指定受付部５２５によるプレビュー設定処理及び表示処理は、原稿読取部５００によって読み取られた各原稿画像データに対して行う場合を例にして説明しているが、本発明はこれに限定されず、ネットワークＩ／Ｆ部７１によって、ＬＡＮ接続（又はインターネット接続）されたパーソナルコンピュータから取得された画像データ、ファクシミリ通信部７５によって外部のファクシミリ装置から取得された画像データ、及びＨＤＤ７４（又は図略のＩ／Ｆを介して複合機１に装着される外部メモリ等）に記憶されている画像データ等に対しても、同様に適用が可能である。
【００９６】
さらに、本発明は、上記に例を示した複合機に限られず他の画像形成装置、例えば、ファクシミリ装置、プリンタ、複合機（コピー、ファクシミリ装置、プリンタ等の機能を兼ね備えた画像形成装置）等に適用することが可能である。更には、画像形成装置に限られず、携帯電話や他の電気機器に適用することも可能である。
【００９７】
上記図１乃至図１４に示した実施形態に係る構成及び処理は、本発明に係る画像読取装置及び画像形成装置の構成及び処理の単なる一例に過ぎず、本発明に係る画像読取装置及び画像形成装置の構成及び処理を上記に示した内容に限定するものではない。
【符号の説明】
【００９８】
１        複合機
３３      画像形成部
４００    操作部
４１０    表示部
４３２    スタートボタン
５００    原稿読取部
５２      ＣＰＵ
５２１    動作制御部
５２２    表示制御部
５２３    特定領域抽出部
５２４    画面データ生成部
５２５    指定受付部
【図１】
2011139315.tif 000003
【図２】
2011139315.tif 000004
【図３】
2011139315.tif 000005
【図４】
2011139315.tif 000006
【図５】
2011139315.tif 000007
【図６】
2011139315.tif 000008
【図７】
2011139315.tif 000009
【図８】
2011139315.tif 000010
【図９】
2011139315.tif 000011
【図１０】
2011139315.tif 000012
【図１１】
2011139315.tif 000013
【図１２】
2011139315.tif 000014
【図１３】
2011139315.tif 000015
【図１４】
2011139315.tif 000016